(57)【要約】【課題】既存のゴミ容器に取り付けて汎用可能であり、収容物が一目でわかる、収容部を複数に区画して分別収集を可能とするための仕切り具を提供する。【解決手段】上方に開口したゴミ容器に取り付けて、前記ゴミ容器の開口部を複数に区画し、前記区画されたそれぞれの開口部に複数のゴミ袋を取り付けることにより、１つのゴミ容器内に複数の収容部を設けるゴミ容器の仕切り具において、ゴミ容器の開口部付近の側壁を挟持する複数のクリップを備え、クリップ間をつなぐ部材がゴミ容器の開口部を区画し、前記クリップ間をつなぐ部材の動作によって、クリップの位置をゴミ容器の開口部寸法に合わせて調節可能としたことを特徴とするゴミ容器の分別用仕切り具である。【選択図】  図１
2006206317.tif 000002
【特許請求の範囲】
【請求項１】
上方に開口したゴミ容器に取り付けて、前記ゴミ容器の開口部を複数に区画し、前記区画されたそれぞれの開口部に複数のゴミ袋を取り付けることにより、１つのゴミ容器内に複数の収容部を設けるゴミ容器の仕切り具において、ゴミ容器の開口部付近の側壁を挟持する複数のクリップを備え、クリップ間をつなぐ部材がゴミ容器の開口部を区画し、前記クリップ間をつなぐ部材の動作によって、クリップの位置をゴミ容器の開口部寸法に合わせて調節可能としたことを特徴とするゴミ容器の分別用仕切り具。
【発明の詳細な説明】
【技術分野】
【０００１】  本発明は、家庭や会社などで使われるゴミ容器に取り付けて収容部を複数に区画し、ゴミの分別収集を可能とするためのゴミ容器の仕切り具に関するものである。
【背景技術】
【０００２】  現在、再利用による資源の節約や、ゴミ焼却による二酸化炭素排出量の低減などの観点より、自治体によるゴミ収集は、ゴミの種類によって分別することが広く行われている。
前記ゴミの分別収集に対応するためのゴミ容器は多く提案されている。【０００３】  例えば、小型容器を着脱自在に収容して複数の収容部を形成するゴミ容器は、特許文献１および特許文献２に示されている。【０００４】  また、容器内に仕切り板を設けて複数に区画したゴミ容器は、特許文献３および特許文献４に示されている。【０００５】  また、容器開口部に枠や仕切り棒を設けて複数のゴミ袋を装着することにより、複数の収容部を形成するゴミ容器は、特許文献５、特許文献６、特許文献７に示されている。【０００６】  また、ゴミ容器に複数のゴミ袋を取り付けるための保持具は、特許文献８に示されている。【０００７】
【特許文献１】  特開平６−２１９５０２号公報
【特許文献２】  特開２００３−１２８２０２号公報
【特許文献３】  実公昭５７−１８３２２号公報
【特許文献４】  実開昭６４−１８００７号公報
【特許文献５】  特開平７−８１７０１号公報
【特許文献６】  特許第３２４７０５５号公報
【特許文献７】  特許第３２４４４６０号公報
【特許文献８】  特開２００３−１９２１０３号公報
【発明の開示】
【発明が解決しようとする課題】
【０００８】  ゴミ容器の使われ方としては、家庭においては各部屋毎、会社などでは個人毎、またはグループ毎に小型のゴミ容器を備えて、これらに溜まったゴミを定期的に集めて保管または処分するようにしており、台所のようにゴミが多く発生する場所や、ゴミを集積保管する場所にのみ、分別用に複数の収容部をもつゴミ容器を備えているのが一般的である。そして個別に備えられた小型のゴミ容器は燃ゴミ用として用いられることが多い。【０００９】  一方、最近はゴミの分別が細分化しており、プラスチック類をリサイクルゴミとして分別することが広く行われている。しかし、商品の包装などで日常多く発生する紙類とプラスチック類とでは手近に分別できるゴミ容器がないと、わざわざ集積場所まで捨てに行くのは手間であり、つい手近のゴミ容器にまとめて捨ててしまうことになる。また、一度捨てたゴミを後で分別するのは困難であるため、なかなか分別収集ひいては資源のリサイクルが浸透されないのが現状であり、最初に捨てる時点での分別収集が望まれる。【００１０】  前記の特許文献１乃至特許文献７は、何れも分別収集を可能とするゴミ容器の提案であるが、それぞれの、収容部を複数に区画する手段に適した、専用の容器本体が必要であり、既存のゴミ容器を全て置き換えるのは金銭的負担が大きくなってしまうため、前記の個別のゴミ容器までは普及しにくい問題がある。【００１１】  前記の特許文献８は、既存のゴミ容器に複数のゴミ袋を取り付けるための保持具の提案であるが、ゴミ袋をゴミ容器開口縁部に挟持するだけの構造であり、仕切りとなる部材がない。そのため、各収容部の開口部はゴミ袋の縁のみであり、分別されていることが不明瞭であるとともに、ゴミ袋は挟持部の摩擦力のみで保持しているため、差し渡し部分が使用中にずれやすく、ゴミを投入しやすいような開口を維持できない。また、ゴミ袋がずれにくいように挟持力を強くすると着脱が困難になるという、実用上の問題がある。【００１２】  また、ゴミ容器の収容部を区画しただけではそれぞれの収容物が何であるかが一見しただけではわからないことがある。特に不特定多数の人が使用する場合は誤ったものを捨ててしまう恐れがあり、分別のために区画した意味がなくなってしまう。【００１３】  本発明はかかる事情を鑑みてなされたものであり、その目的は、既存のゴミ容器に取り付けて汎用可能であり、収容物が一目でわかる、収容部を複数に区画して分別収集を可能とするためのゴミ容器の仕切り具を提供することにある。
【課題を解決するための手段】
【００１４】  上方に開口したゴミ容器に取り付けて、前記ゴミ容器の開口部を複数に区画し、前記区画されたそれぞれの開口部に複数のゴミ袋を取り付けることにより、１つのゴミ容器内に複数の収容部を設けるゴミ容器の仕切り具において、ゴミ容器の開口部付近の側壁を挟持する複数のクリップを備え、クリップ間をつなぐ部材がゴミ容器の開口部を区画し、前記クリップ間をつなぐ部材の動作によって、クリップの位置をゴミ容器の開口部寸法に合わせて調節可能としたことを特徴とするゴミ容器の分別用仕切り具である。
【発明の効果】
【００１５】  本発明の仕切り具は、多様なサイズや形状のゴミ容器に取り付けて、汎用が可能であるため、既存のゴミ容器に装着することで、ゴミ容器を買い換え、買い足しするする必要がなく、低コストで、設置スペースを増やすことなく分別収集が可能となる。
このように、既存のゴミ容器で分別収集が可能となるため、ゴミ分別の機会を増やし、資源のリサイクル率を高めることができる。【００１６】  また、収容物が、表示により一目でわかるため、誤って捨てることを防止し、確実に分別を行うことができる。【００１７】  更には、ゴミ容器開口部の任意の位置に取り付けることができるため、分別するゴミの量や大きさに合わせて、区画する割合を自由に設定することができ、ゴミ容器の容量を有効に利用することができる。
【発明を実施するための最良の形態】
【実施例１】
【００１８】  本発明の実施例１を添付図面の図１乃至図１１に基づいて説明する。図１に示す仕切り具１は、同じ形状である２つの仕切り体２を対向させて組み合わせたものである。
図２、図３に示す前記仕切り体２は、本体１０、外側クリップ２０、クリップバネ３０とから構成される。【００１９】  本実施例では、本体１０及び外側クリップ２０はプラスチックの射出成形により製造されており、このとき再生材料を使用すれば低コストで、かつ環境負荷を低減することができる。クリップバネ３０は、バネ鋼の線材より製造されている。【００２０】  本体１０は連結棒１１、連結ガイド１２、内側クリップ１３、ゴミ袋係止部１４および表示板１５が一体に成形されている。本体１０と外側クリップ２０はクリップバネ３０を介して組み付けられ、内側クリップ１３と外側クリップの挟持部２１の間に押圧力を生じ、上方に開口したゴミ容器１００の側壁を挟持することができる。【００２１】  前記のように構成された仕切り体２を２つ対向させて、それぞれお互いの連結棒１１と連結ガイド１２とを挿入して組み合わせることにより、相対的にスライドさせてクリップ間の距離を調節することができ、多様な開口部寸法のゴミ容器１００に汎用可能となる。【００２２】  このように同形状の部品の組み合わせとすることで、部品点数が減り、ひいては製造コストの削減につながる。【００２３】  また、滑らかにスライドさせるためには連結棒１１と連結ガイド１２との間に適度な隙間を設ける必要があるため、単に連結棒１１と連結ガイド１２を挿入しただけでは挿入代が少ない時にガタが大きくなってしまうが、本実施例の構成では、お互いに連結棒１１と連結ガイド１２を挿入しあうことで、常に連結棒１１の根元と先端とで支えられるため、挿入代が少ない時でもガタを小さくすることができ、開口寸法の大きなゴミ容器１００に合わせて大きく引き伸ばしても安定して装着することができる。【００２４】  外側クリップ２０は、図２に示すように湾曲した形状として挟持部２１以外は内側クリップ１３との間に間隔をあけており、ゴミ容器１００の開口縁部にフランジや折り返しが設けられている場合でも、これらのフランジや折り返しに干渉することなく、ゴミ容器１００の側壁を挟持することができる。【００２５】  また外側クリップの挟持部２１は、図４に示すように、ゴミ容器１００の周方向に離れた２点でゴミ容器１００と接触するようになっており、内側クリップ１３の挟持部とで３点支持の形をとることにより、ゴミ容器１００の側壁が平面でも曲面でも安定して挟持することができる。
また、前述のように外側クリップの挟持部２１が幅広になることにより、ゴミ袋２００を２つ装着する際、ゴミ容器１００の側壁外面に折り返したゴミ袋２００の端末を重ねることなく、並列させたまま挟持できるため、装着しやすくなる。【００２６】  また、図３に示すように、本体１０と外側クリップ２０との遥動支点１６を球形状の一部からなる凹凸の組合せによって構成することにより、外側クリップ２０が平面視でも遥動することができるため、円形断面のゴミ容器１００において、中央からオフセットした位置でも安定して取り付けることができ、収容物の大きさや量によってゴミ容器１００の開口を不均等に区画することができる。また対向する側面が平行でないゴミ容器にも安定して取り付けることができる。【００２７】  ゴミ袋係止部１４は、連結ガイド１２の正面および背面に概Ｌ字形のフックが設けられており、ゴミ容器１００にプラスチック製のゴミ袋２００を装着する際に、ゴミ袋２００の仕切り具１に沿って差し渡した部分を引っ掛けて保持することにより、ゴミ袋２００がたわむことを防止し、ゴミの投入口が常に開いた状態を確保するものである。
図５に示すように、ゴミ袋係止部１４の側面視形状は、上方を斜めに湾曲させてゴミ袋２００を差し込みやすくしている。【００２８】  表示板１５は連結ガイド１２の上方に直立して設けられており、仕切り具１によって区画されたそれぞれの収容部に投入すべき分別の種類を表示するようになっている。
図６に示すように表示板１５の収容物表示面には、対向したＬ字形の突起からなるカード枠１７が設けられており、このカード枠１７に、分別の種類が印刷されたカード４０を差し込んで収容物を表示することにより、容易に表示内容を変更することができる。
また、表示板１５のクリップ側の端部には、外側クリップ２０を開放動作させる際に指でつまむための指かけ穴１８が設けられている。【００２９】  本発明の実施例１は以上のような構成からなるものであり、図７、図８に基づいて使用方法を説明する。【００３０】  まず両端にある外側クリップのつまみ部２２と、表示部１５に設けられた指かけ穴１８とをつまんで外側クリップの挟持部２１と内側クリップ１３との間隔を広げ、この間にゴミ容器１００の側壁を挟んで取り付ける。
この時、組み合わされた２つの仕切り体２は自由にスライド可能であるため、両クリップの間隔は、ゴミ容器１００の開口部寸法に合わせて容易に調節することができる。
またこの時、収容物の大きさや量によって、開口部を区画する割合を変えたい場合でも任意の位置に取り付けることができる。【００３１】  次に、適当な大きさのゴミ袋２００の開口部を開き、縁部の一辺を仕切り具１のゴミ袋係止部１４に引っ掛けて保持する。そして仕切り具１に沿って差し渡した一辺の両端を、たるみがないよう引っ張りながらゴミ容器１００の側壁外面に沿って折り返し、外側クリップの挟持部２１で挟持する。後は残りのゴミ袋２００の開口部をゴミ容器１００の開口縁部に折り返してかぶせる。【００３２】  このようにして仕切り具１で区画された両側にゴミ袋２００を装着することにより、１つのゴミ容器１００で２種類のゴミを分別収集することが可能となる。【００３３】  この時、ゴミ容器１００は開口部のみが区画されており、ゴミ収容部は互いのゴミ袋２００で隔てられているだけなので、それぞれのゴミの発生量に応じて収容量が調整され、ゴミ容器１００の容量を無駄なく使用することができる。【００３４】  ここで使用するゴミ袋２００としては、市販の方形をなしたプラスチック製のものやスーパーなどでの買い物時に提供される取っ手付きのプラスチック袋（以下レジ袋と称する）など、大きささえゴミ容器１００の開口部寸法に適当であれば特にその種類を問わず使用することができる。【００３５】  また、レジ袋には商品が少ない場合に提供される小さいサイズのものがあり、特に最近多く利用されているコンビニエンスストアでの買い物時によく見られ、その使用量は増加してきている。この小さいレジ袋は一般的なゴミ容器の開口縁部に折り返して装着するには小さすぎるため、ゴミ袋として再利用されることなく廃却されることが多かったが、本発明による仕切り具１でゴミ容器１００の開口部を区画することによって１つの開口サイズが小さくなるため、小さいレジ袋でも装着することが可能となり、ゴミ袋としての再利用を促すことができる。【００３６】  また、外側クリップのつまみ部２２に小さいレジ袋の取っ手部分を引っ掛けて吊るすこともでき、更に別の種類のゴミを収容しておくことができる。このとき、収容物の重量はクリップの挟持部２１を狭める方向に働くため、仕切り具１の装着が不安定になることはない。【００３７】  一方、前述のように１つのゴミ容器で２種類のゴミを分別収集することを可能としたのであるが、それぞれの収容物が何であるかが一見してわからなければ誤ったものを捨ててしまう恐れがあり、分別のために区画した意味がなくなってしまう。【００３８】  そこで、それぞれの開口部に面した側の表示板１５のカード枠１７に、紙やプラスチックシートに分別の種類が印刷されたカード４０を差し込んで表示することにより、一目で収容物がわかり、確実に分別することができる。また、カード４０は差し替えることで容易に表示内容を変更することができるため、多様な分別に対応することができる。【００３９】  更に、２つの仕切り体２を別の色の組み合わせにすることで、ゴミ容器の向きを判別しやすくなり、より確実に分別することができる。【００４０】  以上は本発明の１つの実施例について説明したものであり、材料や各部の構成および形状は、特許請求の範囲に記載された趣旨を満たす範囲にお���て適宜に変更が可能である。【００４１】  例えば連結棒１１の断面形状は方形に限ることはなく、図９の（イ）、（ロ）に示すように、適宜リブを設けたり、円形を用いることができる。また連結ガイド１２の断面は閉断面のみならず、（ハ）、（ニ）に示すような溝状の開断面でもよい。【００４２】  連結ガイド１２の連結棒１１を挿入するガイド穴１２ａの成形が困難となる場合は、図１０に示すように、連結ガイド１２の前後の壁に、ガイド穴１２ａと連通する抜き穴１２ｂを交互に設けて、成形金型を分割する構成とすればよい。図１０の太矢印は各部位での金型の抜き方向を示す。【００４３】  または、図１１に示すように、連結ガイド１２を、ガイド穴１２ａが開断面となるように一方の壁を分離して反転し、反転の中心部を樹脂ヒンジ１２ｃで連結して成形する。このような形状に成形後、分離した壁を樹脂ヒンジ１２ｃで折り曲げて反転し、係止爪１２ｄで係止することで閉断面のガイド穴１２ａが得られる。
また、前述と同じように分離した一方の壁を別個に成形した後、係止または接着、溶着などにより組み合わせることも可能である。【００４４】  クリップ部の構成は、バネが内側クリップ１３と外側クリップの挟持部２１とを引き寄せる構成のみならず、バネが内側クリップ１３と外側クリップのつまみ部２２を押し広げる構成でもよい。また、内側クリップ１３と外側クリップ２０とを一体に成形して、材料の弾性力で挟持する構成でもよい。【００４５】  表示板１５への収容物表示方法も、別個のカードを差し込む方法だけでなく、表示板に直接印刷や刻印、または立体に造形して表示してもよく、シールを貼り付ける方法でもよい。
【実施例２】
【００４６】  本発明の実施例２を図１２に基づいて説明する。
本例はゴミ容器１００の開口を３つに区画したものである。中央に放射状３方向に、連結棒５１と連結ガイド５２を備える核体５０があり、３方向それぞれに実施例１と同じ構成からなる仕切り体２をスライド可能に組み合わせて構成される。
核体５０の連結ガイド５２には、仕切り体２と同じようにゴミ袋係止部５３が設けられている。【００４７】  核体５０は一体に成形されてもよいが、３方向それぞれの角度が変えられるように、連結ガイド５２の中心側端末が回動可能なように組み立てれば、ゴミ容器１００を区画する割合を任意に調節可能となり、また、使用しない時は折りたたんで収納できるので便利である。【００４８】  以上のように構成された仕切り具１をゴミ容器１００に取り付けて、区画された３つの開口部にそれぞれゴミ袋を装着することにより、１つのゴミ容器１００で３種類のゴミを分別収集することが可能となる。【００４９】  同様の構成によって、放射状に組み合わせる数を増やすことで、さらに複数に区画することも可能である。図１３に、方形のゴミ容器１００を４つに区画した例を示す。
【実施例３】
【００５０】  本発明の実施例３を図１４に基づいて説明する。
本例の仕切り具１はクリップ６１の位置を、連結アーム６２の弾性変形によって調節するものである。【００５１】  クリップ６１と表示板１５とは連結アーム６２でつながっており、表示板１５の下方にはゴミ袋係止部１４が設けられている。
連結アーム６２はその部材自体の弾性変形によって左右に伸縮することができ、２つのクリップ６１間の距離をゴミ容器１００の開口部寸法に合わせて調節が可能である。【００５２】  連結アーム６２の形状は、特に限定されるものではないが、ゴミ袋を装着することを考慮すると、クリップ６１間の距離を調節した場合に、ゴミ容器１００の縁に対するゴミ袋係止部１４の高さが、なるべく変化しないような変形をすることが望ましい。また、ゴミ袋係止部１４の高さは、変化した場合でも常にゴミ容器１００の縁以上であることが望ましい。【００５３】  図１４では仕切り具１全体を一体で成形した例を示しているが、連結アーム６２を別部材として、クリップ６１と表示板１５に組み付ける構成としてもよい。このようにすることで、連結アーム６２が弾性変形するのに適した材料の選択肢が増え、デザインの自由度が増す。【００５４】  また、本例においても、前記実施例２の場合と同様、クリップ６１と連結アーム６２を放射状に構成することにより、ゴミ容器１００を複数に区画することが可能である。
【実施例４】
【００５５】  本発明の実施例４を図１５に基づいて説明する。
本例の仕切り具１はクリップ６１の位置を、滑節によって連結されたリンク機構をなす連結リンク７１の動作によって調節するものである。【００５６】  ２つの連結リンク７１の一端がお互いに滑節ａ７３によって連結されており、他方の端末には、それぞれクリップ６１が滑節ｂ７４によって連結されている。２つの連結リンク７１の交角を変化させることにより、両端に取り付けられた２つのクリップ６１間の距離をゴミ容器１００の開口部寸法に合わせて調節が可能である。【００５７】  連結リンク７１の中間には補助リンク７２の一端が滑節ｃ７５で連結されており、補助リンク７２の他方の端末はお互いに滑節ｄ７６によって連結され、連結リンク７１の一部と補助リンク７２とで菱形のリンク機構を構成している。【００５８】  表示板１５は、下方にゴミ袋係止部１４が設けられており、中央下部を、滑節ｄ７６に取り付け、その上方で滑節ａ７３に対して上下方向にスライドできるように取り付ける。このような構成とすることで、クリップ６１間の距離を調節しても、表示板１５は常に直立を保つことができ、またゴミ容器１００の縁に対してゴミ袋係止部１４の高さを一定に保つことができる。
【実施例５】
【００５９】  本発明の実施例５を図１６に基づいて説明する。
本例は、仕切り具１が、ゴミ容器１００の開口部を塞ぐ蓋の機能を備えたものである。【００６０】  ゴミが溜まったとき、ゴミ袋２００を装着したままゴミ容器１００を逆さにして空けることがあるが、ゴミ容器１００を分別用に区画していると一方のゴミを空けようとしても、他方のゴミも同時にこぼれてしまうため、一時的に一方の開口を塞ぐ蓋が必要になる。
また、収容物が見えた場合の美観の問題や臭気の問題から、常時閉じている蓋が望まれる場合もある。【００６１】  図１６の（イ）、（ロ）に示す例は、表示板１５が蓋の機能を兼ねているものである。
（イ）は表示板１５が１つであって、反転させることにより両方の開口部を交互に塞ぐ蓋となるものである。
（ロ）は表示板１５が２つであって、両方の開口部をそれぞれが塞ぐ蓋となるものである。
（ハ）は表示板１５とは別個の蓋体８０を備えるものである。
表示板１５および蓋体８０は仕切り具１に沿った差し渡し方向を軸として回動可能に装着されている。【００６２】  表示板１５および蓋体８０の動作としては次のような形態が挙げられる。
（ｉ）バネの力などにより常時直立しており、開口部を塞ぐとき手動によって横転させる。
（ｉｉ）バネの力などにより常時横転して開口部を塞いでおり、ゴミを投入するとき手動によって起立させる。
（ｉｉｉ）回動自由で、常時横転して開口部を塞いでおり、ゴミを投入するとき手動によって起立させる。
（ｉｖ）直立、横転それぞれの状態に、節度をもって保持され、手動によって切り替える。【００６３】  本実施例は、２つに区画された場合のみならず、適宜、実施例２に示した、より複数に区画された場合にも適用することができる。
【実施例６】
【００６４】  本発明の実施例６を図１７に基づいて説明する。
本例は、表示板１５を動物の形に造形し、絵が印刷されたシール９０を貼り付けることによって、キャラクターグッズとしての価値を付加したものである。【００６５】  収容物表示をキャラクターのせりふのように見せることもでき、子供に対してゴミの分別への意識を高める効果が期待できる。【００６６】  キャラクターを表現する手段としては、造形，刻印，印刷、印刷物の貼り付け、またはこれら手段の組み合わせなど、仕切り具本来の機能を満たすものであれば特に限定されることはない。また表現するキャラクターも限定されないことは勿論である。
本例は、実施例１乃至実施例５の何れの構成にも適用することができる。
【実施例７】
【００６７】  本発明の実施例７は表示板１５を広告として使用したものである。【００６８】  このようにすれば、近年、関心が高まっている環境問題への取り組みをＰＲするグッズとして好適であり、費用の一部または全額を広告費で負担できれば、本仕切り具の普及を広め、ひいてはゴミの分別を推進してリサイクル率を高める効果が期待できる。【００６９】  広告を表現する手段としては、造形，刻印，印刷、印刷物の貼り付け、またはこれら手段の組み合わせなど、仕切り具本来の機能を満たすものであれば特に限定されることはない。
本例は、実施例１乃至実施例６の何れの構成にも適用することができる。
【図面の簡単な説明】
【００７０】
【図１】  本発明の実施例１の構成を示す斜視図
【図２】  本発明の実施例１の構成を示す正面図
【図３】  本発明の実施例１の構成を示す図２のＡ−Ａ断面図
【図４】  本発明の実施例１の構成を示す図２のＢ−Ｂ断面図
【図５】  本発明の実施例１の構成を示す図２のＣ−Ｃ断面図
【図６】  本発明の実施例１の構成を示す図２のＤ−Ｄ断面図
【図７】  本発明の実施例１の使用状態を示す正面視断面図
【図８】  本発明の実施例１の使用状態を示す側面視断面図
【図９】  本発明の実施例１の応用形態を示す側面視断面図
【図１０】  本発明の実施例１の応用形態を示す平面視及び側面視断面図
【図１１】  本発明の実施例１の応用形態を示す側面視断面図
【図１２】  本発明の実施例２を示す平面図及び断面図
【図１３】  本発明の実施例２を示す平面図
【図１４】  本発明の実施例３を示す正面図
【図１５】  本発明の実施例４を示す正面図
【図１６】  本発明の実施例５を示す側面図
【図１７】  本発明の実施例６を示す正面図
【符号の説明】
【００７１】１      仕切り具
２      仕切り体
１０    本体
１１    連結棒
１２    連結ガイド
１３    内側クリップ
１４    ゴミ袋係止部
１５    表示板
１６    遥動支点
１７    カード枠
１８    指かけ穴
２０    外側クリップ
３０    クリップバネ
４０    カード
５０    核体
６１    クリップ
６２    連結アーム
７１    連結リンク
７２    補助リンク
８０    蓋体
９０    シール
１００  ゴミ容器
２００  ゴミ袋
【図１】
2006206317.tif 000003
【図２】
2006206317.tif 000004
【図３】
2006206317.tif 000005
【図４】
2006206317.tif 000006
【図５】
2006206317.tif 000007
【図６】
2006206317.tif 000008
【図７】
2006206317.tif 000009
【図８】
2006206317.tif 000010
【図９】
2006206317.tif 000011
【図１０】
2006206317.tif 000012
【図１１】
2006206317.tif 000013
【図１２】
2006206317.tif 000014
【図１３】
2006206317.tif 000015
【図１４】
2006206317.tif 000016
【図１５】
2006206317.tif 000017
【図１６】
2006206317.tif 000018
【図１７】
2006206317.tif 000019